(57)【特許請求の範囲】
【請求項１】
石膏ボードを部分的に強化する方法であって、石膏ボードに対して浸透性を有する硬化性の液状物質を注射器と複数本の注射針とからなる注入器により注入し、石膏ボード内で硬化させることを特徴とする石膏ボードの強化方法。
【請求項２】
浸透性を有する硬化性の液状物質が、湿気硬化型ウレタン樹脂、低粘度不飽和ポリエステル樹脂、シアノアクリレート、アクリルアミド、メチルメタクリレート、低粘度のエポキシ樹脂、フェノール樹脂、メラミン樹脂、尿素樹脂の群から選ばれたものであることを特徴とする請求項１記載の石膏ボードの強化方法。
【請求項３】
前記注射針が多孔針であることを特徴とする請求項１又は請求項２記載の石膏ボードの強化方法。
【請求項４】
前記注射針の基部に差し込み深さを制御するストッパーが装着されることを特徴とする請求項１乃至請求項３のいずれかに記載の石膏ボードの強化方法。
【発明の詳細な説明】
【０００１】
【発明の属する技術分野】
本発明は、住宅等の壁面に使用される石膏ボードを部分的に強化する石膏ボードの強化方法に関する。
【０００２】
【従来の技術】
石膏ボードは不燃性であり、また、軽量、安価であるため住宅等の内装下地材として広く利用されている。石膏ボードはその表面に厚紙が積層されており、その上に内装材が貼り合わされる。しかしながら、木材などと比べて物理的強度が低く、特に釘やねじ釘等の金具に対する固定力が劣るという欠点がある。そのため、従来は次のような方法で金具を固定していた。
【０００３】
図７、図８は従来行われていた石膏ボードへの金具の固定構造を示す断面図である。図７の断面図に示すものは、石膏ボード１に設けた貫通孔にリベット７を通し、ねじ棒７０を回転させてリベット７の先端部７１を引き寄せて変形させることによりフランジ７２を形成し、基部のフランジ７３との間で貫通孔の周囲の石膏ボード１をかしめて固定する構造である。
【０００４】
このような固定構造とするには、リベットの太さに応じた貫通孔を設ける必要があり、また、石膏ボード自体は強化されていないので貫通孔の付近が弱く、長期間の使用に耐えることは困難である。
【０００５】
図８の断面図で示すものは、複数の針孔を有する金具８を石膏ボード１にあてがい、針先が集中するように複数の針９、９、９を差し込むことにより金具８を固定する構造である。
【０００６】
この固定構造においても、石膏ボード自体は強化されていないので、荷重を受けている間に針を固定している石膏ボードが緩み、長期間固定することはできなくなる。
【０００７】
特開昭５２−８０２０号公報に、石膏ボード中に浸透し硬化する物質、例えば湿気硬化型ウレタンエラストマーなどに石膏ボードの縁部を浸漬するか、スプレー等で上記薬剤を縁部に散布するなどにより処理された強化石膏ボードが記載されている。又、注射針のように細いノズルから上記物質をスリットのような狭い切り込み溝内に注入して石膏ボードの縁部を強化することも記載されている。
【０００８】
上記公報に記載のものは、石膏ボードの縁部だけを処理強化したものであり、特に天井用として水平方向に取り付けるために縁部を補強することを目的としたものである。石膏ボードの両面には厚紙が積層されているが、周囲は石膏ボードが露出しているので、液体物質に浸漬したり、液体物質を塗布したりスプレー散布することで容易に行うことができる。
【０００９】
しかし、壁のような縦方向の面に取り付ける金具を強く固定するための強化を施すための手段は開示されていない。
【００１０】
【発明が解決しようとする課題】
本発明は上記従来の問題点を解消し、金具等を固定しようとする部分の石膏ボードを、簡単な器具及び簡単な操作により強化することのできる石膏ボードの強化方法を提供することを目的とする。
【００１１】
【課題を解決するための手段】
請求項１記載の本発明石膏ボードの強化方法は、石膏ボードを部分的に強化する方法であって、石膏ボードに対して浸透性を有する硬化性の液状物質を注射器と複数本の注射針とからなる注入器により注入し、石膏ボード内で硬化させることを特徴とする。
【００１２】
請求項２記載の本発明石膏ボードの強化方法は、請求項１記載の石膏ボードの強化方法において、浸透性を有する硬化性の液状物質が、湿気硬化型ウレタン樹脂、低粘度不飽和ポリエステル樹脂、シアノアクリレート、アクリルアミド、メチルメタクリレート、低粘度のエポキシ樹脂、フェノール樹脂、メラミン樹脂、尿素樹脂の群から選ばれたものである。
【００１３】
請求項３記載の本発明石膏ボードの強化方法は、請求項１又は２に記載の石膏ボードの強化方法において、前記注射針が多孔針であることを特徴とする。
【００１４】
請求項４記載の本発明石膏ボードの強化方法は、請求項１乃至請求項３のいずれかに記載の石膏ボードの強化方法において、前記注射針の基部に差し込み深さを制御するストッパーが装着されることを特徴とする。
【００１５】
石膏ボードに対して浸透性を有する硬化性の液状物質とは、石膏ボード内の一定範囲に浸透し、そこで硬化するものである。硬化のメカニズムとしては、室温硬化型、熱硬化型のいずれでもよく、室温硬化型には石膏ボード内の水分と反応して硬化するウレタン、シアノアクリレート、シリコーン等の湿気硬化型；酢酸ビニル、ニトロセルロース等の溶剤乾燥型；尿素樹脂、フェノール、エポキシ等の触媒硬化型；ポリエーテルアクリレート等があり、熱硬化型としてはフェノール、尿素樹脂、メラミン、エポキシ等が挙げられる。
【００１６】
上記硬化型の液状物質の性状は、石膏ボードに浸透性のよい低粘度のものであれば水溶液型でもよく、溶剤型、エマルジョン型のいずれでも使用できる。
【００１７】
しかしながら、上記硬化性の液状物質のうち、ポリマー可溶型溶剤系のもの、水溶性エマルジョン型のものは浸透性が劣り充分な強化が期待できず、シリコーン系では浸透性は得られるが強度的には不充分である。一方、湿気硬化型ウレタン樹脂は取扱い易く、浸透性や硬化後の強度が優れており、シアノアクリレート系モノマーを用いたものは硬化時間が短かく、且つ、浸透性や硬化後の強度が優れているので、これらが特に好ましい。
【００１８】
湿気硬化型ウレタン樹脂としては、４，４’−ジフェニルメタンジイソシアネート（ＭＤＩ）、トリレンジイソシアネート（ＴＤＩ）、メタキシリレンジイソシアネート（ＸＤＩ）、イソホロンジイソシアネート（ＩＰＤＩ）などのイソシアネート類と各種ポリオール類とを反応させて得られるウレタンプレポリマーが好ましく、分子量が１０００程度のものであり、イソシアネート基が２〜１０％程度含有されるものが特に好ましい。
【００１９】
シアノアクリレート系のものはモノマーのアルキル基がメチル基、エチル基、ブチル基、プロピル基のいずれのものも使用可能である。これらは空気中の水分とアニオン重合して硬化する。
【００２０】
上記硬化性の液状物質は着色されていると、石膏ボード内に注入された後、石膏ボード表面に積層されている厚紙にも浸透して厚紙が着色され、この上に積層される内装材を透して色が現れて外観を損なうことがある。従って、液状物質は無色透明なものが好ましい。
【００２１】
本発明では上記の浸透性を有する硬化性の液状物質を石膏ボード内部に注入器を用いて注入する。注入器としては石膏ボード内部まで上記液状物質を送り込むことができるものであれば使用できるが、代表的なものとして注射器と注射針との組合せが挙げられる。注射針を石膏ボード表面の厚紙を貫通して石膏ボード内に差し通し、注射器で圧入することにより簡単に液状物質を注入することができる。
【００２２】
注射器は医療用のものでも使用できる。また、注射針は通常は図３に示すような先端部が斜めに開口されたものであるが、これに限らず、例えば、図４に示すように先端部が閉塞され、先端部付近で横方向に貫通する孔３１が複数個設けられたもの（ここでは多孔針と呼ぶ）とすれば、液状物質が横方向、且つ周囲に向けて押し出されて広がるので好ましい。
【００２３】
上記本発明の方法によると、既に壁面等に施工された石膏ボードに対しても容易に強化作業をすることが可能である。
【００２４】
釘や木ねじ等が入る部分だけを強化しても、その周囲の石膏ボードの強度が低いので固定力が弱くなる。従って、強化する部分はある程度広い面積とすることが好ましい。液状物質の注入量は固定しようとする金具等の大きさにより強化する部分の面積が異なってくるので、それに応じた量を選択すればよい。
【００２５】
図５に示すように、多孔針３０が複数本設けられたものとすれば、注入量が増え、注入に要する時間が短くなり、上記のように必要な面積を強化する作業を能率的に行うことができる。
【００２６】
さらに、図６に示すように、強化する位置をマーク６１で表示したシート類６を石膏ボード表面にあてがい、マークの位置に注射針を用いて注入作業すれば能率よく強化作業を行うことができる。
【００２７】
石膏ボードの厚みに対して注射針を差し込む深さを制御するために、例えば、図１に示すようなストッパー４を注射針３の基部に装着すれば、常に一定の深さに注射針を差し込んで注入することができる。
【００２８】
【発明の実施の形態】
以下に本発明の石膏ボードの強化方法の実施例を図面を参照して説明する。
図１は本発明石膏ボードの強化方法の実施例を示す断面図である。１は厚み１２ｍｍの石膏ボードでその両面には厚紙１１が接着剤により積層され、表面側には更に内装材としてクロス１２が積層されている。
注射器２の先端部に注射針３が装着され、注射針３の基部はストッパー４に挿通されており、このストッパー４により石膏ボード１への注射針３の差し込み深さが石膏ボード１の厚みのほぼ中央部となるように規制される。
【００２９】
注射器１内にシアノアクリレート系の接着剤２１を充填し、石膏ボード１内へ約２ｃｃを注入した。該接着剤２１はそのまま常温で速やかに硬化した。
図２に示すように、ドライバーを用いてこの部分に木ねじ５をねじ込んだところ、ねじ込みの抵抗は大きくしっかりと固定され、この木ねじ５に絵画入りの額縁を掛けることができた。
一方、本発明を実施しない部分で同様に木ねじ５１をねじ込んだが、すぐに緩みが生じて抜け易くなった。
【００３０】
【発明の効果】
本発明の石膏ボードの固定方法によると、注射器と注射針のような簡単な器具及び簡単な操作により、石膏ボードを強化することができ、釘やねじ類等の金具をしっかりと固定することができる。また、既に施工された石膏ボードの壁面でも容易に強化することができ、強化作業による痕跡は表面から見て殆ど認めることができず、外観を損なうことは全くない。
【図面の簡単な説明】
【図１】  本発明の実施例を示す断面図。
【図２】  本発明を実施した石膏ボードを示す斜視図。
【図３】  注射針の例を示す斜視図。
【図４】  注射針の他の例を示す斜視図。
【図５】  注射器の例を示す斜視図。
【図６】  注射器の他の使用例を示す斜視図。
【図７】  従来の石膏ボードに金具を固定した構造を示す断面図。
【図８】  従来の石膏ボードに金具を固定した他の構造を示す断面図。
【符号の説明】
１  ：石膏ボード
２，２０：注射器
３，３０：注射針
４  ：ストッパー
５，５１：木ねじ
６  ：シート類
７  ：リベット
８  ：金具
９  ：針
１１：厚紙
１２：クロス
２１：シアノアクリレート接着剤
３１：孔
６１：マーク
【図１】
0003940449.tif 000002
【図２】
0003940449.tif 000003
【図３】
0003940449.tif 000004
【図４】
0003940449.tif 000005
【図５】
0003940449.tif 000006
【図６】
0003940449.tif 000007
【図７】
0003940449.tif 000008
【図８】
0003940449.tif 000009